(57)【要約】【課題】複数のズーム領域を指定するとともに指定した複数のズーム領域内の画像をサブ画面上にそれぞれ表示することができる画像表示装置およびその画像表示装置を具備した撮影装置、さらに画像表示方法を提供する。【解決手段】メイン画面１３０Ａと複数例えば２つの第１のサブ画面３０Ｂ，１３０Ｃを設ける。３つの画面の表面に静電センサ１３０を設けてタッチパネルを構成して、第１のサブ画面、第２のサブ画面のうちのいずれか（例えば第１のサブ画面１３０Ｂ）がタッチされた後、メイン画面１３０Ａのいずれかの位置がタッチされたらその位置に切出領域を設定し設定した切出領域内の画像を先にタッチされた第１のサブ画面に表示する。続いてメイン画面１３０Ａのいずれかの位置がタッチされたら、その位置に切出領域を設定し設定した切出領域内の画像を、画像が表示されていない第２のサブ画面に表示する。【選択図】        図４
2008245055.tif 000002
【特許請求の範囲】
【請求項１】
メイン画面と１つ以上のサブ画面とを備えた画像表示装置において、
前記メイン画面上に画像を表示する第１の表示手段と、
前記メイン画面上のいずれかの位置を操作により指定する指定手段と、
前記メイン画面上に表示されている画像のうちの、前記指定手段で指定された位置を含む切出領域内の画像を前記サブ画面の一つに表示する第２の表示手段とを備えたことを特徴とする画像表示装置。
【請求項２】
前記メイン画面がタッチパネルであり、前記指定手段は、該メイン画面への指の接触を受けて接触位置を指定するものであることを特徴とする請求項１記載の画像表示装置。
【請求項３】
前記第１の表示手段が、前記メイン画面に表示されている画像上に、該メイン画面上に表示している画像のうちの前記サブ画面上に表示された切出領域を示すものであることを特徴とする請求項２記載の画像表示装置。
【請求項４】
前記指定手段は、前記切出領域への指の接触および移動に応じて該切出領域の移動および拡縮を指定するものであり、
前記第１の表示手段は、前記切出領域の移動又は拡縮に応じて、前記メイン画面に表示されている画像上に移動又は拡縮後の切出領域を示すものであり、
前記第２の表示手段は、前記切出領域の移動又は拡縮に応じて移動又は拡縮後の切出領域内の画像を表示するものであることを特徴とする請求項３記載の画像表示装置。
【請求項５】
前記サブ画面を複数有し、該サブ画面がタッチパネルであって、前記第２の表示手段は、前記メイン画面上に表示されている画像のうちの、前記指定手段で指定された位置を含む切出領域内の画像を、複数のサブ画面のうちの指の接触によって指定されたサブ画面に表示するものであることを特徴とする請求項３記載の画像表示装置。
【請求項６】
メイン画面と１つ以上のサブ画面とを備えた画像表示装置において、
前記メイン画面上に画像を表示する第１の表示手段と、
前記メイン画面上に表示された画像中の顔を検出する顔検出手段と、
前記メイン画面上に表示されている画像のうちの、前記顔検出手段で検出された顔を含む切出領域内の画像を前記サブ画面の一つに表示する第２の表示手段とを備えたことを特徴とする画像表示装置。
【請求項７】
撮像素子上に被写体を結像させて画像を生成する撮影装置において、
メイン画面と１つ以上のサブ画面とを備え、
前記撮像素子で生成された画像を前記メイン画面上に表示する第１の表示手段と、
前記メイン画面上のいずれかの位置を操作により指定する指定手段と、
前記メイン画面上に表示されている画像のうちの、前記指定手段で指定された位置を含む切出領域内の画像を前記サブ画面の一つに表示する第２の表示手段とを備えたことを特徴とする撮影装置。
【請求項８】
前記メイン画面がタッチパネルであり、前記指定手段は、該メイン画面への指の接触を受けて接触位置を指定するものであることを特徴とする請求項７記載の撮影装置。
【請求項９】
前記第１の表示手段が、前記メイン画面に表示されている画像上に、該メイン画面上に表示している画像のうちの前記サブ画面上に表示された切出領域を示すものであることを特徴とする請求項８記載の撮影装置。
【請求項１０】
前記指定手段は、前記切出領域への指の接触および移動に応じて該切出領域の移動および拡縮を指定するものであり、
前記第１の表示手段は、前記切出領域の移動又は拡縮に応じて、前記メイン画面上に表示されている画像上に、移動又は拡縮後の切出領域を示すものであり、
前記第２の表示手段は、前記切出領域の移動又は拡縮に応じて、移動又は拡縮後の切出領域内の画像を表示するものであることを特徴とする請求項８記載の撮影装置。
【請求項１１】
前記サブ画面を複数有し、該サブ画面がタッチパネルであって、前記第２の表示手段は、前記メイン画面上に表示されている画像のうちの、前記指定手段で指定された位置を含む切出領域内の画像を、複数のサブ画面のうちの指の接触によって指定されたサブ画面に表示するものであることを特徴とする請求項８記載の撮影装置。
【請求項１２】
撮像素子上に被写体を結像させて画像を生成する撮影装置において、
メイン画面と１つ以上のサブ画面とを備え、
前記撮像素子で生成された画像を前記メイン画面上に表示する第１の表示手段と、
前記メイン画面上に表示された画像中の顔を検出する顔検出手段と、
前記メイン画面上に表示されている画像のうちの、前記顔検出手段で検出された顔を含む切出領域内の画像を前記サブ画面の一つに表示する第２の表示手段とを備えたことを特徴とする撮影装置。
【請求項１３】
前記サブ画面を複数有し、該複数のサブ画面に表示された複数の切出領域それぞれについて測距を行なってこれら複数の切出領域のうちの最至近の切出領域に合焦させるピント調整手段を備えたことを特徴とする請求項７又は１２記載の撮影装置。  
【請求項１４】
前記サブ画面を複数有し、該複数のサブ画面に表示された複数の切出領域それぞれについて測距を行なってこれら複数の切出領域のうちの最至近の切出領域と最遠方の切出領域について均等な錯乱円となる距離に合焦させるピント調整手段を備えたことを特徴とする請求項７又は１２記載の撮影装置。
【請求項１５】
前記サブ画面を複数有し、該複数のサブ画面に表示された複数の切出領域それぞれについて測距を行なってこれら複数の切出領域のうちの最至近の切出領域が所定の許容錯乱円に入る範囲で該最至近の切出領域よりも遠方に合焦させるピント調整手段を備えたことを特徴とする請求項７又は１２記載の撮影装置。
【請求項１６】
前記サブ画面を複数有し、該複数のサブ画面に表示された複数の切出領域それぞれについて測距を行なってこれら複数の切出領域について所定の許容錯乱円に入るように絞りを調整する絞り調整部を備えたことを特徴とする請求項７又は１２記載の撮影装置。
【請求項１７】
前記メイン画面に表示された画像に基づいてホワイトバランス調整を行なうホワイトバランス調整手段を備えたことを特徴とする請求項７又は１２記載の撮影装置。
【請求項１８】
前記サブ画面に表示された画像に基づいて、ホワイトバランス調整を行なう際の基準色を記憶する基準色記憶手段を備えたことを特徴とする請求項７又は１２記載の撮影装置。
【請求項１９】
前記メイン画面および前記１つ以上のサブ画面それぞれに合焦させるとともに露出を調整した複数の画像を撮影する複数画像撮影手段を備えたことを特徴とする請求項７又は１２記載の撮影装置。
【請求項２０】
メイン画面と１つ以上のサブ画面への画像表示方法において、
前記メイン画面上に画像を表示する第１の表示ステップと、
前記メイン画面上のいずれかの位置を操作により指定する指定ステップと、
前記メイン画面上に表示されている画像のうちの、前記指定手段で指定された位置を含む切出領域内の画像を前記サブ画面の一つに表示する第２の表示ステップとを有することを特徴とする画像表示方法。
【発明の詳細な説明】
【技術分野】
【０００１】
本発明は、メイン画面と１つ以上のサブ画面とを備えた画像表示装置、その画像表示装置を備えた撮影装置、さらに画像表示方法に関する。
【背景技術】
【０００２】
最近のデジタルカメラには、ファインダ代わりに表示画面が用いられるため画像表示装置が備えられているものが多い。この画像表示装置があると、表示画面上の画像の一部に切出領域を設定し設定した切出領域内の画像を電子ズームで拡大して表示画面上に表示することができる。最近では、撮像素子の高画素化が進むとともに表示画面を構成するＬＣＤ等の高分解能化が進んで電子ズームを行って表示画面上に画像の一部を拡大して表示しても鮮明な画像を表示することができる。
【０００３】
また最近の撮影装置の中には、メイン画面とサブ画面とを備えた画像表示装置を搭載してメイン画面上の画像の任意の位置が指定されると指定された領域を枠で囲んで電子ズームをする切出領域をメイン画面上に示すとともにその枠で囲まれた領域内の画像を電子ズームしてサブ画面上に表示するものがある（例えば特許文献１〜３参照）。これらの特許文献の技術を用いてファインダ代わりに用いられるメイン画面とサブ画面とに、それぞれ、全体画像とその全体画像の一部を拡大した画像を表示することができるようにしておくと、例えばサッカーをしている子供達全体のプレイをメイン画面で見渡しながらサブ画面でその中にいる自分の子供のプレイのみを個別に見て、シャッタチャンスに撮影を行なうようなことができる。このため、これらの特許文献１〜３の撮影装置では、サブ画面の拡大画像をより鮮明に表示することができるようにするために切出領域にピントをあわせたり切出領域で露出調整を行なったりしている。
【０００４】
しかしながら、上記特許文献１〜３のものでは、メイン画面上の画像中に電子ズームを行なう切出領域を１つしか設定することができない。
【特許文献１】特開平０５−２６０３５２号公報
【特許文献２】特開平０６−１６５０１２号公報
【特許文献３】特開２００１−４５４０７号公報
【発明の開示】
【発明が解決しようとする課題】
【０００５】
本発明は上記問題点を解決し、複数のズーム領域を指定するとともに指定した複数のズーム領域内の画像をサブ画面上にそれぞれ表示することができる画像表示装置およびその画像表示装置を具備した撮影装置、さらに画像表示方法を提供することを目的とするものである。
【課題を解決するための手段】
【０００６】
上記目的を達成する本発明の画像表示装置は、メイン画面と１つ以上のサブ画面とを備えた画像表示装置において、
上記メイン画面上に画像を表示する第１の表示手段と、
上記メイン画面上のいずれかの位置を操作により指定する指定手段と、
上記メイン画面上に表示されている画像のうちの、上記指定手段で指定された位置を含む切出領域内の画像を上記サブ画面の一つに表示する第２の表示手段とを備えたことを特徴とする。
【０００７】
上記本発明の画像表示装置によれば、上記第１の表示手段によりメイン画面上に表示されている画像の中のいずれかの位置が上記指定手段で指定されると、その指定手段で指定された位置を含む切出領域内の画像が上記第２の表示手段により上記一つ以上のサブ画面の中の一つに表示される。さらに上記指定手段により複数箇所の位置が指定されると、各位置を含む切出領域内の画像それぞれが上記１つ以上のサブ画面それぞれに表示される。
【０００８】
つまり、電子ズーム領域が複数箇所指定されると、複数箇所それぞれの画像が電子ズームされて各サブ画面にそれぞれ表示される。
【０００９】
ここで、上記メイン画面がタッチパネルであり、上記指定手段は、そのメイン画面への指の接触を受けて接触位置を指定するものであることが好ましい。
【００１０】
そうするとユーザは、メイン画面に表示されている画像を見ながら電子ズーム領域である上記切出領域を指の接触という１タッチの操作で指定することができようになる。
【００１１】
また、上記第１の表示手段が、上記メイン画面に表示されている画像上に、そのメイン画面上に表示している画像のうちの上記サブ画面上に表示された切出領域を表示するものであることが好ましい。
【００１２】
そうすると、ユーザはメイン画面で全体の画像を見ながらその画像のどの部分が現在ズームされサブ画面上に表示されているかをメイン画面上で確認することができる。
【００１３】
上記指定手段は、上記切出領域への指の接触および移動に応じてその切出領域の移動および拡縮を指定するものであり、
上記第１の表示手段は、上記切出領域の移動又は拡縮に応じて、上記メイン画面に表示されている画像上に移動又は拡縮後の切出領域を示すものであり、
上記第２の表示手段は、上記切出領域の移動又は拡縮に応じて移動又は拡縮後の切出領域内の画像を表示するものであることが好ましい。
【００１４】
上記指定手段によって上記切出領域の移動および拡縮の指定が行なわれると、上記第１の表示手段によっては、電子ズームを行なう切出領域の移動および拡縮の状態がメイン画面に示され、上記第２の表示手段によっては、そのメイン画面上の移動した後の位置の、拡縮された切出領域内の画像がサブ画面に表示される。
【００１５】
このため、ユーザは、指の接触という簡単な操作でズーム位置の設定とズーム倍率の設定との双方を素早く行なうことができる。
【００１６】
ここで、上記サブ画面を複数有し、そのサブ画面がタッチパネルであって、上記第２の表示手段は、上記メイン画面上に表示されている画像のうちの、上記指定手段で指定された位置を含む切出領域内の画像を、複数のサブ画面のうちの指の接触によって指定されたサブ画面に表示するものであることが好ましい。
【００１７】
そうすると、メイン画面上の画像を見ながらその画像の中の電子ズームする位置を１タッチ操作で簡単に指定し、さらに再度の１タッチ操作で指定した切出領域内の画像を自分が指定したサブ画面上に表示させることができる。
【００１８】
上記目的を達成する本発明の第２の画像表示装置は、メイン画面と１つ以上のサブ画面とを備えた画像表示装置において、
上記メイン画面上に画像を表示する第１の表示手段と、
上記メイン画面上に表示された画像中の顔を検出する顔検出手段と、
上記メイン画面上に表示されている画像のうちの、上記顔検出手段で検出された顔を含む切出領域内の画像を上記サブ画面の一つに表示する第２の表示手段とを備えたことを特徴とする。
【００１９】
上記本発明の第２の画像表示装置によれば、上記顔検出手段で検出された顔を含む切出領域内の画像が上記１つ以上のサブ画面それぞれに表示される。
【００２０】
そうすると、メイン画面に表示されている画像の中に人物が複数存在した場合などにおいては、各人物がサブ画面上にそれぞれ表示されるようになるので人物それぞれを全体画像を踏まえて確認することができるようになる。
【００２１】
また上記本発明の第１の画像再生装置又は上記本発明の第２の画像再生装置を撮影装置に搭載すると撮影装置の使い勝手が良くなる。
【００２２】
また、上記目的を達成する本発明の第１の撮影装置は、撮像素子上に被写体を結像させて画像を生成する撮影装置において、
メイン画面と１つ以上のサブ画面とを備え、
上記撮像素子で生成された画像を前記メイン画面上に表示する第１の表示手段と、
上記メイン画面上のいずれかの位置を操作により指定する指定手段と、
上記メイン画面上に表示されている画像のうちの、上記指定手段で指定された位置を含む切出領域内の画像を前記サブ画面の一つに表示する第２の表示手段とを備えたことを特徴とする。
【００２３】
ここで、上記メイン画面がタッチパネルであり、上記指定手段は、そのメイン画面への指の接触を受けて接触位置を指定するものであることが好ましい。
【００２４】
また上記第１の表示手段が、上記メイン画面に表示されている画像上に、そのメイン画面上に表示している画像のうちの上記サブ画面上に表示された切出領域を示すものであることが好ましい。
【００２５】
また、上記指定手段は、上記切出領域への指の接触および移動に応じてその切出領域の移動および拡縮を指定するものであり、
上記第１の表示手段は、上記切出領域の移動又は拡縮に応じて、上記メイン画面上に表示されている画像上に、移動又は拡縮後の切出領域を示すものであり、
上記第２の表示手段は、上記切出領域の移動又は拡縮に応じて、移動又は拡縮後の切出領域内の画像を表示するものであることが好ましい。
【００２６】
また、上記サブ画面を複数有し、そのサブ画面がタッチパネルであって、上記第２の表示手段は、上記メイン画面上に表示されている画像のうちの、上記指定手段で指定された位置を含む切出領域内の画像を、複数のサブ画面のうちの指の接触によって指定されたサブ画面に表示するものであることが好ましい。
【００２７】
また上記目的を達成する本発明の第２の撮影装置は、撮像素子上に被写体を結像させて画像を生成する撮影装置において、
メイン画面と１つ以上のサブ画面とを備え、
上記撮像素子で生成された画像を上記メイン画面上に表示する第１の表示手段と、
上記メイン画面上に表示された画像中の顔を検出する顔検出手段と、
上記メイン画面上に表示されている画像のうちの、上記顔検出手段で検出された顔を含む切出領域内の画像を前記サブ画面の一つに表示する第２の表示手段とを備えたことを特徴とする。
【００２８】
ここで、上記本発明の第１の撮影装置および上記第２の撮影装置にあっては、上記サブ画面を複数有し、その複数のサブ画面に表示された複数の切出領域それぞれについて測距を行なってこれら複数の切出領域のうちの最至近の切出領域に合焦させるピント調整手段を備えた態様であることが好ましい。
【００２９】
そうすると、メイン画面とサブ画面との双方の表示を見ながら撮影が行なわれたときには上記複数の切出領域それぞれの最至近の切出領域にピントが合わされてそのピント以降の後方側のぼけが小さくなるようにピントが調整された画像が得られる。
【００３０】
また、上記サブ画面を複数有し、その複数のサブ画面に表示された複数の切出領域それぞれについて測距を行なってこれら複数の切出領域のうちの最至近の切出領域と最遠方の切出領域について均等な錯乱円となる距離に合焦させるピント調整手段を備えていても良く、
さらに、サブ画面を複数有し、その複数のサブ画面に表示された複数の切出領域それぞれについて測距を行なってこれら複数の切出領域のうちの最至近の切出領域が所定の許容錯乱円に入る範囲でその最至近の切出領域よりも遠方に合焦させるピント調整手段を備えていても良い。
【００３１】
ここで、上記サブ画面を複数有し、その複数のサブ画面に表示された複数の切出領域それぞれについて測距を行なってこれら複数の切出領域について所定の許容錯乱円に入るように絞りを調整する絞り調整部を備えた態様であるとなお良い。  
【００３２】
また、上記メイン画面に表示された画像に基づいてホワイトバランス調整を行なうホワイトバランス調整手段を備えた態様であると良い。
【００３３】
そうすると、サブ画面に表示されている切出領域内の画像のホワイトバランスが、メイン画面に表示された画像つまり全体の画像のホワイトバランスに基づいて調整される。
【００３４】
また上記サブ画面に表示された画像に基づいて、ホワイトバランス調整を行なう際の基準色を記憶する基準色記憶手段を備えた態様であると良い。
【００３５】
そうすると、例えばホワイトバランスを行なうのに適した白部分がメイン画面に表示されている画像中にある場合には、その部分の白を基準として基準色記憶手段に記憶してホワイトバランス調整を行なうことができる。
【００３６】
さらに、上記メイン画面および上記１つ以上のサブ画面それぞれに合焦させるとともに露出を調整した複数の画像を撮影する複数画像撮影手段を備えた態様であると良い。
【００３７】
また、上記目的を達成する本発明の画像表示方法は、メイン画面と１つ以上のサブ画面への画像表示方法において、
上記メイン画面上に画像を表示する第１の表示ステップと、
上記メイン画面上のいずれかの位置を操作により指定する指定ステップと、
上記メイン画面上に表示されている画像のうちの、上記指定手段で指定された位置を含む切出領域内の画像を前記サブ画面の一つに表示する第２の表示ステップとを有することを特徴とする。
【００３８】
上記本発明の画像表示方法によれば、複数の箇所に設定された切出領域内の画像がサブ画面それぞれに表示される。
【００３９】
尚、上記の各種の本発明においては、メイン画面とサブ画面は物理的に分けられた別々の画面であってもよく、あるいは、物理的には１つの画面上の各領域を本発明にいうメイン画面とサブ画面とに使い分けたものであっても良い。
【発明の効果】
【００４０】
以上説明した様に、複数のズーム領域を指定するとともに指定した複数のズーム領域内の画像を表示することができる画像表示装置およびその画像表示装置を具備した撮影装置、さらに画像表示方法が実現する。
【発明を実施するための最良の形態】
【００４１】
以下図面を参照して本発明の実施の形態を説明する。
【００４２】
図１は、本発明の撮影装置の一実施形態であるデジタルカメラの外観を示す図である。
【００４３】
なお、この図１のデジタルカメラには、本発明にいう画像表示装置が備えられており、その画像表示装置によって表示画面上に画像が表示されるようになっている。
【００４４】
図１（ａ）には、正面斜め上方から見た斜視図が示されており、図１（ｂ）には、背面斜め上方から見た斜視図が示されている。
【００４５】
図１に示すデジタルカメラ１の本体中央にはレンズ鏡胴１１０が備えられており、そのレンズ鏡胴１１０の右斜め上方には発光窓１９０が備えられている。また本体上面にはレリーズボタン１０が備えられている。また図１（ｂ）に示す様に、図１に示すデジタルカメラの背面には、メイン画面１３０Ａと２つのサブ画面１３０Ｂ，１３０Ｃが備えられている。これら３つの画面１３０Ａ〜１３０Ｃにはそれら画面全域にわたって静電センサ１３０が設けられタッチパネルが構成されている。なお、この例では、サブ画面を２つ設けた例を掲げてあるので以降の説明においては、２つのうちの図１の上側のサブ画面を第１のサブ画面と記載し、図１の下側のサブ画面を第２のサブ画面と記載する。さらにこれらの３つの画面はすべてＬＣＤで構成されているので、以降の説明においては、メイン画面を構成するＬＣＤに符号１３０Ａを付したり、また第１のサブ画面を構成するＬＣＤに符号１３０Ｂを付したり、さらに第２のサブ画面を構成するＬＣＤに符号１３０Ｃを付したりして説明することがある。
【００４６】
図２は、図１のデジタルカメラ１の内部構成を示す構成ブロック図がである。
【００４７】
なお、図１のデジタルカメラ１には、前述した様に画像表示装置が備えられており、デジタルカメラ１としての機能は、撮影レンズ１１０１，１１０２と、撮像素子１２０と、撮像素子駆動回路１０１と、Ａ／Ｄ１２１、画像処理回路１２２と、積算値算出回路１２３と、コントラスト算出回路１２４と、レンズ駆動回路１０２とで担われ、画像表示装置の機能は、３つの画像表示メモリ１３０１Ａ〜１３０１Ｃと、３つのＤ／Ａ回路１３０２Ａ〜１３０２Ｃと、３つのＬＣＤ１３０Ａ〜１３０Ｃとで担われる。また、本実施形態においては、前述した様に本発明にいう指定手段としてタッチパネルが採用されており、３つのＬＣＤ１３０Ａ，１３０Ｂ，１３０Ｃの表面にまたがって静電センサ１３０が配備されている。
【００４８】
このデジタルカメラ全体の動作はＣＰＵ１００によって統括的に制御されており、そのＣＰＵ１００には電源スイッチ（不図示）、レリーズボタン１０などを含む操作系回路１０３からの操作信号と静電センサ１３０からの操作信号がそれぞれ供給される。またＣＰＵ１００には電池（不図示）からの電力が常時供給されていて電源スイッチ（不図示）が投入されると、電源制御回路１０２を通して各回路に電力が供給されＣＰＵ１００によってこのデジタルカメラ全体の動作の制御が開始される。
【００４９】
まず、図１のデジタルカメラ１の撮影装置としての動作を説明する。
【００５０】
なお本実施形態においては、撮像素子１２０に高画素数のものであってしかも高フレームレートのものが用いられているとする。
【００５１】
ＣＰＵ１００は、撮像素子駆動回路１０１に指示して撮像素子１２０に所定の間隔ごとに画像を生成させてはＡ／Ｄ１２１へと出力させる。このときには、高画素数の画像信号が出力される。撮像素子１２０の後段にあるＡ／Ｄ１２０では、撮像素子１２０から出力されたアナログの画像信号を受けてデジタルの画像信号への変換が行なわれる。そのＡ／Ｄ１２１から出力されたデジタルの画像信号がデータバスｂｕｓ上に導かれバスｂｕｓに接続されている画像処理回路１２２内のフレームメモリへ供給され記憶される。この画像処理回路１２２内のフレームメモリに記憶されたデジタルの画像信号は、積算値算出回路１２３とコントラスト算出回路１２４にも供給される。
【００５２】
画像処理回路１２２の方では、画像信号の信号処理が行なわれ、信号処理されたデジタルの画像信号がメイン画面を構成するＬＣＤ１３０Ａの画像表示メモリ１３０１Ａに供給され、画像表示メモリ１３０１Ａの画像信号に基づいてＬＣＤ１３０Ａ上に画像が表示される。
【００５３】
このときにはピントや露出のあっていない画像がＬＣＤ１３０Ａ上に表示されると困るので、ＣＰＵ１００は、コントラスト算出回路１２４による合焦位置の検出結果に応じてレンズ駆動回路１０４に指示してフォーカスレンズ１１０２を合焦位置に移動させるとともに、積算値算出回路１２３で検出された露出に応じて撮像素子駆動回路１０１に指示して電子シャッタのシャッタ速度を調整させている。
【００５４】
こうしておくと、いつでもピントおよび露出のあった画像がメイン画面１３０Ａ上に表示される。
【００５５】
ここでレリーズボタン１０が操作されたら、ＣＰＵ１００は、撮像素子駆動回路１０１に指示してレリーズボタン１０が押されたときのタイミングで撮像素子１２０に露光を開始させ所定のシャッタ秒時経過後に露光を終了させた後、撮像素子駆動回路１０１から画像読出信号を供給させ露光が終了した画像を撮像素子１２０からＡ／Ｄ１２１に出力させる。Ａ／Ｄ１２１でデジタル信号に変換された画像信号が画像処理回路１２２に供給され画像処理回路１２２で画像処理された画像信号がメモリ１２５又はメモリカード１２６に記録される。
【００５６】
次に画像表示装置の方の構成を説明する。
【００５７】
本実施形態の画像表示装置には、３つのＬＣＤ１３０Ａ〜１３０Ｃと、それら３つのＬＣＤ１３０Ａ〜１３０Ｃそれぞれで構成されるメイン画面、第１のサブ画面、第２のサブ画面それぞれに画像を表示するためにバス側のデジタルの画像信号をアナログの画像信号に変換するための３つのＤ／Ａ変換回路１３０２Ａ〜１３０２Ｃと、メイン画面、第１のサブ画面、第２のサブ画面それぞれに画像を表示するときに表示バッファとして使用される３つの表示用メモリ１３０１Ａ〜１３０１Ｃとが備えられている。さらに本実施形態においては、本発明にいう指定手段の一例を構成するタッチパネルがＬＣＤ１３０Ａ〜１３０Ｃの表面全域にわたって構成されるように３つのＬＣＤの表面に静電センサ１３０が配設されている。この静電センサ１３０は、膜状のものであって３つのＬＣＤの表面を覆うようにして配設されていて、３つのＬＣＤの表面に渡っていずれかの部分に指が接触すると接触した部分の座標を示す信号がその静電センサから出力される構成になっている。この座標を示す信号がＣＰＵ１００に供給されてきたらＣＰＵ１００はメイン画面１３０Ａ、第１のサブ画面１３０Ｂ、第２のサブ画面１３０Ｃによって構成される表示画面上のどの位置に指が接触したかを検知する。
【００５８】
この例では、まず、第１のサブ画面１３０Ｂ、第２のサブ画面１３０Ｃのうちのどちらかのサブ画面への指の接触を受けてＣＰＵ１００が処理を開始する構成になっているので、ここでは第１のサブ画面１３０Ｂに指が接触したとして表示処理を説明する。
【００５９】
本実施形態においては、本発明にいう第１の表示手段の一例が、ＣＰＵ１００と画像表示メモリ１３０１ＡとＤ／Ａ回路１３０２ＡとＬＣＤ１３０Ａとで構成され、第２の表示手段の一例が、ＣＰＵ１００と画像表示メモリ１３０１Ｂ，１３０１ＣとＤ／Ａ回路１３０２Ｂ，１３０２ＣとＬＣＤ１３０Ｂ，１３０Ｃとで構成される。
【００６０】
図３は、第１のサブ画面１３０Ｂ又は第２のサブ画面１３０Ｃへの指の接触を受けてＣＰＵ１００が実行する表示処理を説明するフローチャートである。以降においては指の接触ということをタッチという言葉で表記することがある。このフローチャートが本発明にいう画像表示方法の一例に相当する。なお、以降の説明においては、電子ズーム領域、あるいはズーム領域という言葉を切出領域と同じ意味で使用して記載することがある。また、以降の説明においては、切出領域内の画像を切り出してズーム処理を行なうので、このズーム処理のことをトリミングと記載することがある。
【００６１】
ステップＳ３０１で、第１のサブ画面１３０Ｂ、第２のサブ画面１３０Ｃのうちのいずれか（例えば第１のサブ画面１３０Ｂ）がタッチされたと判定したらＹｅｓ側へ進んでステップＳ３０２へ進み、ステップＳ３０２で、タッチされた第１のサブ画面１３０Ｂ側の画像表示メモリに‘ｓｅｌｅｃｔ’という単語を転送して第１のサブ画面上に‘ｓｅｌｅｃｔ’という単語を表示させ、メイン画面１３０Ａへの指の接触による位置の入力を待つ。次のステップＳ３０３でメイン画面１３０Ａのいずれかの位置がタッチされたと判定したら、Ｙｅｓ側へ進んでステップＳ３０４でタッチされた位置の座標を中心に切出領域を設定し、第１のサブ画面１３０Ｂ上にその切出領域内の画像を表示させる。
【００６２】
次のステップＳ３０５へ進んでステップＳ３０５でレリーズボタン１０が押されたかどうかを判定する。このステップＳ３０５でレリーズボタン１０が押されたと判定したら、次のステップＳ３０６へ進んでステップＳ３０６で切出領域である電子ズーム領域が有るかどうかを判定する。このステップＳ３０６で電子ズーム領域が在ると判定したらＹｅｓ側へ進んで次のステップＳ３０７で電子ズーム領域に主にピントが合うようにフォーカスレンズを移動させて撮影を行なってこのフローの処理を終了する。またステップＳ３０６で電子ズーム領域がないと判定したらＮｏ側へ進んでステップＳ３０８で中央にピントを設定して一枚の絵として撮影を行なってこのフローの処理を終了する。
【００６３】
一方、ステップＳ３０１でサブ画面がタッチされないと判定したらＮｏ側へ進んでステップＳ３０５にジャンプしてレリーズボタン１０の操作を待ち、レリーズボタン１０が押されたらステップＳ３０６からステップＳ３０８の処理を行なってこのフローの処理を終了する。
【００６４】
また、ステップＳ３０５でレリーズボタン１０が押されないと判定したらＮｏ側へ進んでステップＳ３０９でズーム画像表示中のサブ画面ここでは第１のサブ画面１３０Ｂが再びタッチされたかどうかを判定する。ステップＳ３０９で第１のサブ画面が再びタッチされたと判定したら表示されていた画像を消してメイン画面１３０Ａ内の切出領域の設定を解除してステップＳ３０１に戻ってステップＳ３０１からステップＳ３０９の処理を繰り返す。
【００６５】
ステップＳ３０９で画像表示中のサブ画面この例では第１のサブ画面がタッチされないと判定したらＮｏ側へ進んでステップＳ３１１でメイン画面上の切出領域を囲む枠の角がタッチされたかどうかを判定する。このステップＳ３１１で角がタッチされたと判定したらＹＥＳ側へ進んでステップＳ３１２で倍率（切出領域を囲む枠にサイズ）を変化させ、ステップＳ３０５に戻ってレリーズ操作を待つ。ステップＳ３１１で角がタッチされないと判定したらＮｏ側へ進んでステップＳ３１３でメイン画面上の枠の辺がタッチされたかどうかを判定する。このステップＳ３１３で辺がタッチされたと判定したらＹＥＳ側へ進んでステップＳ３１４で切出領域を移動させて切出領域の位置を変更した後ステップＳ３０５に戻ってレリーズ操作を待つ。ステップＳ３１３で辺もタッチされないと判定したらステップＳ３０５に戻ってレリーズ操作を待つ。
【００６６】
図４は、ＣＰＵ１００が図３の処理を実行したときのメイン画面１３０Ａと第１のサブ画面３０Ｂと第１のサブ画面３０Ｃの表示状態の変化を説明する図である。
【００６７】
図４には、図のフローの手順にしたがって、メイン画面１３０Ａ，第１のサブ画面１３０Ｂ，第２のサブ画面１３０Ｃ上の表示がどのように変化していくかが、図４（ａ）、図４（ｂ）・・・図４（ｆ）の順に示されている。
【００６８】
まず、タッチ操作を待ち受けている待ち受け画面（ＡＤＤという単語が表示されている）になっている第１のサブ画面１３０Ｂがタッチされると、図４（ｂ）に示す様にそのサブ画面上の ‘ＡＤＤ’という表示が消えて‘ｓｅｌｅｃｔ’という単語が表示される（図３のステップＳ３０２）。この状態にあるときにメイン画面１３０Ａがタッチされて位置入力が行なわれたら、図４（ｃ）に示す様にその位置を中心に切出領域が枠で示され、その枠で示される切出領域内の画像が第１のサブ画面に表示される（図３のステップＳ３０４）。
【００６９】
次に図４（ｄ）に示す様に枠の角がタッチされタッチされたまま指がなぞられたら、切出領域の枠サイズつまり倍率が変更されその変更に応じて図４（ｄ）、図４（ｅ）に示す様に第１のサブ画面上の画像の倍率が変更される。さらに図３のフローには示されていないが、図４（ｅ）の状態にあるときに、メイン画面１３０Ａの、最初の切出領域以外の位置がタッチされたら、図４（ｆ）に示す様にタッチされたところに切出領域を設定し設定した切出領域内の画像を第２のサブ画面１３０Ｃ上に表示させるようにもしてある。
【００７０】
すなわち、本発明にいう指定手段の一例を構成するタッチパネルは、メイン画面上に表示されている画像中の切出領域への指の接触および移動に応じて切出領域の移動および拡縮を指定するものであり、第１の表示手段は、切出領域の移動又は拡縮に応じて、メイン画面に表示されている画像上に移動又は拡縮後の切出領域を示すものであり、第２の表示手段は、切出領域の移動又は拡縮に応じて移動又は拡縮後の切出領域内の画像を表示するものであるということになる。
【００７１】
以上説明した様に、複数のズーム領域を指定するとともに指定した複数のズーム領域内の画像を表示することができる画像再生装置およびその画像表示装置を具備した撮影装置、さらに画像表示方法が実現する。
【００７２】
図５、図６、図７は、第２実施形態を説明する図である。
【００７３】
図５には、図１（ｂ）の構成に顔検出ボタン１０Ａが付加された例が示されている。また図６には、図２の構成に加えて、操作系回路１０３Ａ内に顔検出ボタン１０Ａが付加されさらに顔検出回路１２７が付加された例が示されている。図７には、図４の処理に、ステップＳ３００１からステップＳ３００４の処理が追加されたフローチャートが示されている。
【００７４】
図５〜図７の第２実施形態では、顔検出ボタン１０Ａが押されたときには顔検出回路１２７で検出された顔の位置に２つの切出領域を自動的に設定し設定した２つの切出領域内の画像それぞれを第１のサブ画面１３０Ｂ，第２のサブ画面１３０Ｃ上に表示させ、顔検出手段で顔が押されないときには第１実施形態と同じ処理を行なってタッチされた第１のサブ画面３０Ｂ又は１３０Ｃ上にメイン画面１３０Ａ上に指定された切出領域内の画像を表示させている。
【００７５】
図７の処理のステップＳ３０１からステップＳ３１４までの処理は図３の処理と同じなので、ステップＳ３００１からステップＳ３００４までの処理を説明し、その後、図５を参照して作用を説明する。
【００７６】
ステップＳ３００１で顔検出ボタン１０Ａが押されたかどうかを判定し、押されていないと判定したらＮｏ側へ進みステップＳ３０１〜ステップＳ３１４までで第１実施形態の処理を実行する。
【００７７】
ステップＳ３００１で顔検出ボタン１０Ａが押されたと判定したら、ステップＳ３００２へ進んでステップＳ３００２で顔検出手段１２７で検出された顔の数がサブ画面の数よりも多いかどうかを判定する。ステップＳ３００２で２つ以下であって多くないと判定したら、Ｎｏ側へ進んでステップＳ３０３で検出された顔の位置を中心に切出領域を設定し切出領域が２つであったら、２つの切出領域内の画像それぞれを第１のサブ画面１３０Ｂ、第２のサブ画面１３０Ｃに表示させる。
【００７８】
ステップＳ３００２で、２つよりも多いと判定したらＹｅｓ側へ進んでステップＳ３００４で、顔検出手段１２７で検出された複数の顔のうちの大きい方の顔（つまり近距離側にピントがある方）から順番に切出領域を設定し設定した切出領域内の画像それぞれを第１のサブ画面１３０Ｂ、第２のサブ画面１３０Ｃにそれぞれ表示させる。
【００７９】
そうしたらステップＳ３０５へ進んでレリーズ操作を待ち、ステップＳ３０５からステップＳ３１４の処理を行なう。
【００８０】
以上の処理がＣＰＵ１００によって実行されると、被写体中に顔が検出されたときには検出された顔周辺に切出領域が設定され設定された切出領域内の画像が自動的に拡大されて各サブ画面に表示される。このような構成にしても良い。
【００８１】
ところで電子ズームを行なうための切出領域が指の接触により指定されたときには、撮影光学系のピントが中央に設定されている関係上、切出領域の画像がぼけてしまうことがある。そこで、第１、第２実施形態のデジタルカメラでは、ＣＰＵ１００がステップＳ３０７の処理で電子ズーム領域である切出領域にもピントが合うようにピントを設定して電子ズームしても拡大された画像があまりぼけないように配慮している。
【００８２】
しかし、切出領域が複数設定された場合には各切出領域のピント範囲がそれぞれ異なる場合がある。このような場合には、後方側にピントを設定すると最至近側の切出領域のぼけが非常に大きくなってしまうので、ぼけ状態を平均化するために各ズーム領域のうちの最至近の切出領域にピントを合わせて撮影を行なうようにしておいた方が良い。
【００８３】
図８は、２つの切出領域のうちの最至近側の切出領域にピントを合わせて撮影を行なうようにする場合の効果を説明する図である。図８には、フォーカスレンズを最至近側から無限遠方側へ移動させているときにコントラスト算出回路１２４にコントラストを各電子ズーム領域ごとに算出させたときの算出結果が示されている。
【００８４】
図８に示す様に切出領域それぞれのピント範囲が異なっていると、いずれか一方の切出領域の許容錯乱円内にフォーカスレンズを配置すると他方の切出領域側のピントがぼけてしまう。
【００８５】
このような場合には、図８に示す様に、双方の切出領域の許容錯乱円がほぼ同じ大きさになる位置、つまり２つの切出領域のうちの最至近の切出領域が許容錯乱円に入る範囲で最至近の切出領域よりも遠方側に合焦させると、双方の切出領域のぼけがほぼ均等化される。なお切出領域が２つ以上ある場合には、複数の切出領域のうちの最至近の切出領域と最遠方の切出領域について均等な錯乱円となる距離に合焦させると、すべての切出領域のぼけがほぼ均等化される。
【００８６】
図９は、図８の符号Ａの位置にフォーカスレンズを配置する場合のＣＰＵ１００の処理を説明する図である。図９には、図３のステップＳ３０５以降の処理が示されており、ステップＳ３０６１、ステップＳ３０６２、ステップＳ３０６３の処理が追加され、ステップＳ３０８の詳細がステップＳ３０８１とステップＳ３０８２とステップＳ３０８３の処理に分割されて示されている。また、フロー中、ＡＦサーチと記載されているのは、フォーカスレンズを移動させながらコントラストのピークを検出して合焦位置を探索する処理を指す。
【００８７】
ステップＳ３０５でレリーズボタンが押されたと判定したらＹｅｓ側へ進んでステップＳ３０６で電子ズーム領域が複数あるかどうかを判定する。ステップＳ３０６で電子ズーム領域が複数ないと判定したら、ステップＳ３０８１でフォーカスレンズを移動させながらコントラスト算出回路１２４に被写体の中央のコントラストを算出させる。ステップＳ３０８２でコントラスト算出回路１２４の算出結果に基づいてフォーカスレンズ１１０２を合焦位置に移動させステップＳ３０８３で撮影を行なってこのフローの処理を終了する。
【００８８】
ステップＳ３０６で、電子ズーム領域が複数あると判定したら、ステップＳ３０６１でフォーカスレンズ１１０２を移動させながらコントラスト算出回路１２４にそれぞれの電子ズーム領域のコントラストを算出させる。次のステップＳ３０６２でコントラストのピークが得られる位置が最も手前つまり最至近の切出領域を検出する。次のステップＳ３０６３で複数例えば２つの切出領域のうちの最至近側の切出領域が許容錯乱円に入る範囲（フロー中には許容錯乱円１つ分後方へフォーカスを駆動すると記載されている）で最至近の切出領域よりも遠方（つまり図８の符号Ａで示す位置にフォーカスレンズを配置する）側に合焦させる。次のステップＳ３０７で複数の切出領域を含めた全体の撮影領域の撮影を行なってこのフローの処理を終了する。
【００８９】
ＣＰＵ１００がこの処理を実行すると、図８に示すように２つの切出領域のピント位置が異なっていても、符号Ａの位置にフォーカスレンズを配置して双方の切出領域のぼけを抑制するとともに平均化して双方の電子ズーム領域（切出領域）の撮影をぼけを抑えて行なうことできる。
【００９０】
ここで図８に示す位置（符号Ａ）にピントを設定したときに絞りを開けていた場合には、その絞りを絞ると被写界深度（許容錯乱円に相当）を深くすることができるのでよりぼけの少ない画像を得ることができる。
【００９１】
図１０は、２つの切出領域それぞれの許容錯乱円が、絞りを絞る前の絞りを開けた状態で重複する場合の例を説明する図である。
【００９２】
このような場合には絞りを絞る必要はなく、重複領域にピントを設定すれば双方の切出領域ともにピントのあった画像が得られる。また、図８のように重複領域がない場合には、フォーカスレンズを符号Ａの位置に配置して撮影を行なえば双方の切出領域の画像のボケがある程度抑制された画像が得られる。さらに図８の状態にあるときに絞りを絞ることができれば、双方の切出領域のピント範囲を広げてよりぼけの少ない画像を得ることもできる。
【００９３】
図１１は、ＣＰＵ１００が行なうの処理を説明する図である。
【００９４】
この例においても図１の外観を持ち図２の内部構成を持つデジタルカメラが用いられる。ただし、図２のデジタルカメラの撮影光学系内に絞りが配備されその絞りの径を調整する絞り駆動部が備えられているとする。
【００９５】
図１１には、図９と同様のフローが示されている。
【００９６】
ステップＳ３０６２Ａの処理が変更されてステップＳ３０６４〜ステップＳ３０６６の処理が追加された以外は、図９の処理と同じ処理である。
【００９７】
ステップＳ３０６１の後にステップＳ３０６２Ａを追加してステップＳ３０６２Ａで、それぞれの切出領域の許容錯乱円が重なっているかどうかを判定している。このステップＳ３０６２Ａで重ならないと判定したら、ステップＳ３０６３へ進んでステップで図８の符号Ａで示す位置にフォーカスレンズを移動させ、ステップＳ３０６４で絞り駆動部に絞りを絞らせて深度を深くしてステップＳ３０７で撮影を行なう。
【００９８】
ステップＳ３０６２で許容錯乱円が重なると判定した場合には、許容錯乱円の重なる位置にフォーカスレンズを配置させステップＳ３０６６で撮影を行なってこのフローの処理を終了する。
【００９９】
このように絞りを絞ると切出領域のピント位置が異なっていても各切出領域のぼけを抑制することができる。また、許容錯乱円が重なっている場合には、重なっているところにピントを設定すれば、各切出領域にピントのあった画像が得られる。
【０１００】
ここで、第１、第２の撮影装置で行なわれるホワイトバランス調整を簡単に説明しておく。
【０１０１】
図１２は、画像処理回路１２２が行なうホワイトバランス処理を説明する図である。
【０１０２】
レリーズボタン１０が押されたら、ステップＳ３０６で電子ズーム領域が複数あるかどうかを判定して電子ズーム領域がないと判定したらステップＳ３０８で通常の撮影処理を行なってこのフローの処理を終了する。
【０１０３】
ステップＳ３０６で電子ズーム領域が複数あると判定したら、ステップＳ３０７で撮影処理を開始して画像処理回路１２２に、ステップＳ３０９１でメイン画面に表示している画像のホワイトバランス調整を行なわせ、ステップＳ３０９２でそれぞれの電子ズーム領域内の画像を切り出してズーミングを行なわせてこのフロー処理を終了する。
【０１０４】
こうしてメイン画面上の全体画像のホワイトバランスを用いると、切出領域のズーム画像の色味が全体の画像の色味を反映したものになる。
【０１０５】
図１３は、デジタルカメラがカスタムホワイトバランス（ＣＷＢ）機能を持つ場合の処理例を説明する図である。
【０１０６】
図１３のデジタルカメラは、図１と同じ外観を持ち、図２とほぼ同じ内部構成を持つものとする。ただし、表示画面が２つから３つに増やされており、さらに画像処理回路１２２がカスタムホワイトバランス調整（ＣＷＢ）機能を有する。
【０１０７】
図１３に示す様に、デジタルカメラの背面にはＣＷＢスイッチ１０Ｂが備えられており、さらに第１のサブ画面１３０Ｂ，第２のサブ画面１３０Ｃ，第３のサブ画面１３０Ｄの３つのサブ画面が備えられている。それらの３つの中の一つ１３０Ｄがホワイトバランス調整の基準色の設定用に用いられる。図１３の例ではメイン画面１００Ａ内に３つの切出領域が設定され第１のサブ画面１３０Ｂと第２のサブ画面１３０Ｃと第３のサブ画面１３０Ｄに画像がそれぞれ表示された後、ＣＷＢスイッチ１０Ｂが押されさらに第３のサブ画面がタッチされると、第３のサブ画面上の画像がホワイトバランス調整の基準色として用いられる。この例では、第３のサブ画面に表示された部分の画像の位置座標が画像処理回路１２２に通知されその画像処理回路１２２によってその座標位置の白旗の白色が基準色とされて画像処理回路１２２内でホワイトバランス調整が行なわれる。なおこの例では、本発明にいう基準色記憶手段がその画像処理回路１２２内に備えられている。
【０１０８】
つまり、ホワイトバランス機能を有する画像処理回路１２２が第３のサブ画面１３０Ｄに表示されている画像に基づいて、ホワイトバランス調整を行なう際の基準色を記憶する基準色記憶手段を備えたものということになる。
【０１０９】
図１４は、カスタムホワイトバランスを行なう構成にした場合のＣＰＵ１００の撮影処理の手順を示すフローチャートである。
【０１１０】
ＣＰＵ１００は、レリーズボタン１０が半押しされたときに開始する。
【０１１１】
ステップＳ１４０１で、図１３に示す３つの切出領域を設定し切出領域内の画像のズーム処理を行なって３つの第１のサブ画面１３０Ｂ，第２のサブ画面１３０Ｃ，第３のサブ画面１３０Ｄにそれぞれ画像を表示する。次のステップＳ１４０２でＣＷＢボタン１０Ｂが押されたかどうかを判定する。このステップＳ１４０２でＣＷＢボタン１０Ｃが押されないと判定した場合には、ステップＳ１４０５にジャンプしてステップＳ１４０５でレリーズボタン１０Ａの操作を待つ。ステップＳ１４０２でＣＷＢボタン１０Ｂが押されたと判定したらステップＳ１４０３でＣＷＢモードへ移行し、ステップＳ１４０４で第１のサブ画面〜第３のサブ画面のうちのいずれかのタッチ操作を受けてホワイトバランスの基準色にする画像を選択する。
【０１１２】
ステップＳ１４０５でレリーズボタン１０Ａが押されたかどうかを判定してレリーズボタン１０Ａが押されないと判定したら、ステップＳ１４０１に戻ってステップＳ１４０１〜Ｓ１４０５の処理を繰り返し実行する。ステップＳ１４０５でレリーズ操作されたと判定したらステップＳ１４０６で全体の撮影処理とトリミングズームを行なって次のステップＳ１４０７へ進む。ステップＳ１４０７でＣＷＢモードであるかどうかを判定しＣＷＢモードではないと判定したらＮｏ側へ進んでステップＳ１４０８で通常のホワイトバランス調整を行なってこのフローの処理を終了し、ＣＷＢモードであると判定したらＹＥＳ側へ進んでステップＳ１４０９で、ステップＳ１４０４で選択された画像の白色を基準にしてホワイトバランス調整を行なってこのフローの処理をする。  
【０１１３】
このような構成にしておくと、カスタムホワイトバランス調整を簡単な操作で行なうことができるようになる。
【０１１４】
図１５は、本発明にいう複数画像撮影手段を備えたデジタルカメラの構成を説明する図である。
【０１１５】
なお、図１５のデジタルカメラは図１の外観を持つものとする。図１６の構成は、図２の構成に絞り１１０３と絞り駆動部１０５が追加されている以外は同じ構成である。
【０１１６】
前述した様に、第１実施形態、第２実施形態のデジタルカメラは、高フレームレートであってしかも高画素の撮像素子１２０を備えているので、高速連写を行なうことができる。そこで高速連写を使って、一回目に被写体中央にピントを設定するとともに全体の露出を調整して全体画像を撮影し、２回目に第１のサブ画面１３０Ａに表示されている切出領域にピントを設定するとともにその切出領域内の露出を調整して撮影し、３回目に第２のサブ画面１３０Ｂに表示されている切出領域にピントを設定するとともにその切出領域内の画像を撮影して、全体画像においても各切出画像においても、それぞれ鮮明な画像を得ることができるようにしている。
【０１１７】
図１６は、高速連写を行なうときにＣＰＵ１００が行なう処理の手順を示すフローチャートである。
【０１１８】
レリーズボタン１０が全押しされたら、ＣＰＵ１００がフローの処理を開始する。
【０１１９】
ステップＳ１６０１で、メイン画面に表示されている画像の露出を積算値算出回路１２３に算出させる。次のステップＳ１６０２でレンズ駆動回路１０４にフォーカスレンズ１１０２を移動させながらコントラスト算出回路１２４に合焦位置を検出させる。ステップＳ１６０３で絞り駆動部１０５に指示して絞り１１０３の径を調節させるとともにレンズ駆動部１０４に指示してフォーカスレンズ１１０２を合焦位置に移動させる。ステップＳ１６０４で撮影処理を行なって画像を表わす画像データを得てメモリカードに記録する。
【０１２０】
ステップＳ１６０５で、第１のサブ画面に表示されている画像の露出を積算値算出回路１２３に算出させる。次のステップＳ１６０６でレンズ駆動回路１０４にフォーカスレンズ１１０２を移動させながらコントラスト算出回路１２４に合焦位置を検出させる。ステップＳ１６０７で絞り駆動部１０５に指示して絞り１１０３の径を調節させるとともにレンズ駆動部１０４に指示してフォーカスレンズ１１０２を合焦位置に移動させる。ステップＳ１６０８で第１のサブ画面に表示されている画像の撮影処理を行なって画像を表わす画像データを得てメモリカードに記録する。
【０１２１】
ステップＳ１６０９で、第２のサブ画面に表示されている画像の露出を積算値算出回路１２３に算出させる。次のステップＳ１６１０でレンズ駆動回路１０４にフォーカスレンズ１１０２を移動させながらコントラスト算出回路１２４に合焦位置を検出させる。ステップＳ１６１１で絞り駆動部１０５に指示して絞り１１０３の径を調節させるとともにレンズ駆動部１０４に指示してフォーカスレンズ１１０２を合焦位置に移動させる。ステップＳ１６１２で撮影処理を行なって第２のサブ画面に表示されている画像を表わす画像データを得てメモリカードに記録する。
【０１２２】
以上の処理を実行すると、３回の連写によりメイン画面に表示されている画像、第１のサブ画面に表示されている画像、第２のサブ画面に表示されている画像の撮影がジャスピン状態で行なわれるので鮮明な画像が得られる。
【０１２３】
上記例においては、ＣＰＵ１００と撮像素子駆動部１０１と撮像素子１２０と絞り駆動部１０５と絞り１１０３とレンズ駆動部１０４とフォーカスレンズ１１０２とで複数画像撮影手段の一例が構成される。
【０１２４】
以上説明したように、複数のズーム領域を指定するとともに指定した複数のズーム領域内の画像をサブ画面上にそれぞれ表示することができる画像表示装置およびその画像表示装置を具備した撮影装置、さらに画像表示方法が実現する。
【図面の簡単な説明】
【０１２５】
【図１】本発明の撮影装置の一実施形態であるデジタルカメラの外観を示す図である。
【図２】図１のデジタルカメラ１の内部構成を示す構成ブロック図がである。
【図３】第１のサブ画面１３０Ｂ又は第２のサブ画面１３０Ｃへの指の接触を受けてＣＰＵ１００が実行する表示処理を説明するフローチャートである。
【図４】ＣＰＵ１００が図３の処理を実行したときのメイン画面１３０Ａと第１のサブ画面３０Ｂと第１のサブ画面３０Ｃの表示状態の変化を説明する図である。
【図５】第２実施形態を説明する図である。
【図６】第２実施形態を説明する図である。
【図７】第２実施形態を説明する図である。
【図８】２つの切出領域のうちの最至近側の切出領域にピントを合わせて撮影を行なうようにする場合の効果を説明する図である。
【図９】図８の位置にフォーカスレンズを配置させる場合のＣＰＵ１００の処理を説明する図である。
【図１０】２つの切出領域それぞれの許容錯乱円が、絞りをしぼる前の絞りを開けた状態で重複している場合の例を説明する図である。
【図１１】ＣＰＵが行なう処理を説明する図である。
【図１２】画像処理回路１２２が行なうホワイトバランス処理を説明する図である。
【図１３】デジタルカメラがカスタムホワイトバランス（ＣＷＢ）機能を持つ場合の処理例を説明する図である。
【図１４】カスタムホワイトバランスを行なう構成にした場合のＣＰＵ１００の撮影処理の手順を示すフローチャートである。
【図１５】本発明にいう複数画像撮影手段を備えたデジタルカメラの構成を説明する図である。
【図１６】図１５のデジタルカメラで連写を行なうときの処理を説明するフローチャートである。
【符号の説明】
【０１２６】
１    デジタルカメラ
１０      レリーズボタン
１０Ａ    顔検出ボタン
１０Ｂ    ＣＷＢボタン
１００    ＣＰＵ
１０１    撮像素子駆動回路
１０２    電源制御回路
１０３    操作系回路
１０４    レンズ駆動回路
１１０    レンズ鏡胴
１１０１  ズームレンズ
１１０２    フォーカスレンズ
１２０    撮像素子
１２１    Ａ／Ｄ
１２２    画像処理回路
１２３    積算値算出回路
１２４    コントラスト算出回路
１２５    メモリ
１２６    メモリカード
１２７    顔検出回路
１３０    静電センサ
１３０Ａ    メイン画面
１３０Ｂ，１３０Ｃ，１３０Ｄ    サブ画面
【図１】
2008245055.tif 000003
【図２】
2008245055.tif 000004
【図３】
2008245055.tif 000005
【図４】
2008245055.tif 000006
【図５】
2008245055.tif 000007
【図６】
2008245055.tif 000008
【図７】
2008245055.tif 000009
【図８】
2008245055.tif 000010
【図９】
2008245055.tif 000011
【図１０】
2008245055.tif 000012
【図１１】
2008245055.tif 000013
【図１２】
2008245055.tif 000014
【図１３】
2008245055.tif 000015
【図１４】
2008245055.tif 000016
【図１５】
2008245055.tif 000017
【図１６】
2008245055.tif 000018